(57)【要約】【課題】ＬＥＤの光を透光させることで周囲の注目を引き寄せすることができるＬＥＤ搭載グッズを提供すること。【解決手段】  ＬＥＤ素子１８ａ，１８ｂ、１８ｃと、ＬＥＤ素子１８ａ，１８ｂ、１８ｃを点灯させる点灯回路Ｋと、ＬＥＤ素子１８ａ，１８ｂ、１８ｃと点灯回路Ｋとを内蔵する透光部材１１とを備え、透光部材１１は、中空部Ｍを有して多孔質体で形成しており、ＬＥＤ点灯回路ＫによりＬＥＤ素子１８ａ，１８ｂ、１８ｃを点灯又は点滅させて中空部ＭにＬＥＤ光を通すことで多孔質体を通して透光させることを特徴とするＬＥＤ搭載グッズ１０である。【選択図】図１
2014135315.tif 000002
【特許請求の範囲】
【請求項１】
ＬＥＤ素子と、ＬＥＤ素子を点灯させる点灯回路と、ＬＥＤ素子と点灯回路とを内蔵する透光部材とを備え、
透光部材は、中空部分を有して多孔質体で形成しており、ＬＥＤ点灯回路によりＬＥＤ素子を点灯又は点滅させて中空部分にＬＥＤ光を照射することで多孔質体を通して透光させることを特徴とするＬＥＤ搭載グッズ。
【請求項２】
前記透光部材は中空の円筒形状を有する棒状体であり、棒状体の基部にＬＥＤ素子を配設したことを特徴とする請求項１に記載のＬＥＤ搭載グッズ。
【請求項３】
前記透光部材は人の手の形状を有し、透光部材の基端部には把持部を配設すると共にＬＥＤ素子を配設したことを特徴とする請求項１又は請求項２に記載のＬＥＤ搭載グッズ。
【請求項４】
前記透光部材の外周面にその一部が透明又は半透明のシート材を配設したことを特徴とする請求項１〜請求項３のいずれか１項に記載のＬＥＤ搭載グッズ。
【請求項５】
前記ＬＥＤ素子は点滅速度を可変又は調光可能としたことを特徴とする請求項１〜請求項４のいずれか１項に記載のＬＥＤ搭載グッズ。
【発明の詳細な説明】
【技術分野】
【０００１】
本発明は、ＬＥＤ搭載グッズ、例えばコンサート会場等でＬＥＤ素子を点灯させて歌手等の応援をする応援グッズ等に関する。
【背景技術】
【０００２】
現在のコンサート会場やスポーツ競技場においては、会場内で出演者と観客とが一体になった雰囲気を作るために、観客が自分の応援グッズを持参して出演者等に応援を送っている。応援グッズとしては、例えば、応援バットやメガホンなどが挙げられる。また、観客が手作りの応援ボードを持参することで歌手等に応援を送っている。さらに、空気で膨らませた棒状の物を叩いて音を出して、会場内で音の一体感を出して応援を送る等の形態を有するものもある。
【０００３】
しかし、前記棒状の物を叩くものは、基本として打音による応援であるため、視覚的に面白みを有するものではなく、華やかさに欠けるものであった。そこで、例えば、特許文献１には、視覚的に面白みを有する応援グッズが開示されている。
【０００４】
すなわち、特許文献１には、握り部を握りながら外ケースを前方に勢いよく振ると、移動体が外ケース内を移動することにより、房体が外ケースの一端側から勢いよく飛び出し、これにより周囲に注目させるような視覚的な面白みを有する応援グッズが開示されている。
【先行技術文献】
【特許文献】
【０００５】
【特許文献１】特開２００８−１１９３８５号公報
【発明の概要】
【発明が解決しようとする課題】
【０００６】
通常、コンサート会場においては、ステージ上では照明を照らし、ステージ以外では照明等を照らさないようにすることで、観客がステージ上の歌手や演奏者が観覧を集中しやすくしている。また、野球やサッカーのナイター会場においても、観客がフィールド内の選手に集中できるように照明を照らし、観客席では照明をあまり照らさないようにしている。
【０００７】
ところが、上記特許文献１に記載の応援グッズでは視覚的に面白いものの、コンサート会場やスポーツ競技場において、前記のような照明があまり照らさない観客席等では周囲に見せるものになりえなかった。その結果、出演者や選手等に対して応援を送るグッズとして視覚的な面白みを有するものになりえなかった。
【０００８】
この発明は、上記課題を解決するためになされたもので、ＬＥＤ素子（Ｌｉｇｈｔ  Ｅｍｉｔｔｉｎｇ  Ｄｉｏｄｅ）の光を透光させることで周囲の注目を引き寄せすることができるＬＥＤ搭載グッズを提供することを目的とする。
【課題を解決するための手段】
【０００９】
請求項１に記載の発明は、ＬＥＤ素子と、ＬＥＤ素子を点灯させる点灯回路と、ＬＥＤ素子と点灯回路とを内蔵する透光部材とを備え、透光部材は、中空部分を有して多孔質体で形成しており、ＬＥＤ点灯回路によりＬＥＤ素子を点灯又は点滅させて中空部分にＬＥＤ光を照射することで多孔質体を通して透光させることを特徴とするＬＥＤ搭載グッズである。
【００１０】
請求項２に記載の発明は、前記透光部材は中空の円筒形状を有する棒状体であり、棒状体の基部にＬＥＤ素子を配設したことを特徴とする請求項１に記載のＬＥＤ搭載グッズである。
【００１１】
請求項３に記載の発明は、前記透光部材は人の手の形状を有し、透光部材の基端部には把持部を配設すると共にＬＥＤ素子を配設したことを特徴とする請求項１又は請求項２に記載のＬＥＤ搭載グッズである。
【００１２】
請求項４に記載の発明は、前記透光部材の外周面にその一部が透明又は半透明のシート材を配設したことを特徴とする請求項１〜請求項３のいずれか１項に記載のＬＥＤ搭載グッズである。
【００１３】
請求項５に記載の発明は、前記ＬＥＤ素子は点滅速度を可変又は調光可能としたことを特徴とする請求項１〜請求項４のいずれか１項に記載のＬＥＤ搭載グッズである。
【発明の効果】
【００１４】
請求項１に記載の発明によれば、その全体が多孔質を有する透光部材で構成されるので軽量である。このため、手で振り回しても疲れが生じにくい。また、多孔質を有するので、透光部材の内部からＬＥＤを点灯させることでその透光部材を通して透光させることができる。
【００１５】
しかも、赤色、緑色、青色の３原色のＬＥＤ素子を透光部材の内部に内蔵することで単色、又はこれらの組み合わせによりすべての色で透光部材上に透光させることができ、コンサート会場やスポーツ競技場等で照明を落している場所においては、周囲からの注目を引き寄せやすい。
【００１６】
請求項２に記載の発明によれば、透光部材を棒状体にすることで、コンサートで使用する応援棒として使用することができる。また、透光部材が円筒形状を有するので軽量であり、自由に振り回しすることができる。
【００１７】
請求項３に記載の発明によれば、前記多孔質体を人の手状に形成し、その基端部に把持部を配設することにより、透光しながら手をたたくように構成することができるので、コンサート会場で使用できる応援グッズとして使用することができる。
【００１８】
請求項４に記載の発明によれば、多孔質体の外部にビニル製のシート材を巻き付けることで、透光部材から透光させる光によって、シート材に印刷された文字や図形を視覚的に注目させることができる効果を有する。
【００１９】
請求項５に記載の発明によれば、上記ＬＥＤは点滅速度を可変又は調光可能とすることで、視覚的に変化をもたらすことができる効果を有する。例えば、コンサート会場等での曲のテンポで点滅速度を変化することによって演出を変えることが可能となる。
【図面の簡単な説明】
【００２０】
【図１】実施例１における棒状タイプのＬＥＤ搭載グッズの全体構造を示した説明図である。（ａ）は、棒状体を有する応援グッズの全体構造を示す斜視図であり、（ｂ）は、その応援グッズのＬＥＤ素子を点灯させた状態を示す斜視図である。
【図２】実施例１におけるＬＥＤ搭載グッズを構成する各部品を展開させた展開図である。
【図３】実施例１における棒状タイプのＬＥＤ搭載グッズの内部構造を示した断面図である。
【図４】実施例１における棒状タイプのＬＥＤ搭載グッズの点灯回路構造を示した回路図である。
【図５】実施例２における手の形状を有するＬＥＤ搭載グッズの全体構造を示した説明図である。
【図６】実施例３における刀の形状を有するＬＥＤ搭載グッズの全体構造を示した説明図である。
【図７】実施例４における誘導灯タイプのＬＥＤ搭載グッズの全体構造を示した説明図である。
【図８】実施例１〜４におけるＬＥＤ搭載グッズのＬＥＤ素子の点灯状態の一例を示した説明図である。
【発明を実施するための形態】
【００２１】
以下に、本発明の一実施形態について図面を参照しながら説明する。
【００２２】
本実施形態におけるＬＥＤ搭載グッズは、多孔質体からなる透光部材と、その透光部材の基部に設けた発光部と、透光部材の基部に設け、手で把持できる把持部とを有する。
【００２３】
透光部材は多孔質体で形成されており、気泡が多数形成されたもの、又は、３次元網目構造を有するものであり、例えば、気泡が多数形成されたものとして、発泡スチロール（ポリスチレン）やスポンジ等が挙げられる。
【００２４】
多孔質体内の気泡の径や網目をより大きくすると、より発光部からの光をより強く透光させることができる。また、透光部材が多孔質体であるために放熱性に優れ、透光部材内の点灯回路内で発生熱を放熱させることができる。
【００２５】
透光部材は、その内部に中空部を備え、その中空部にＬＥＤ素子の光を照射させることで透光部材を通して外周面上に透光させるものである。そして、ＬＥＤ素子の光量を上げることで、その透光量（照度）を上げることができ、透光部材の厚みを薄くすることでもその透光量（照度）を上げることができる。また、透光部材を着色することで、その着色とＬＥＤ素子の光とが交じり合って別の光の色に透光させることも可能である。
【００２６】
発光部には、ＬＥＤ（Ｌｉｇｈｔ Ｅｍｉｔｔｉｎｇ Ｄｉｏｄｅ）素子を搭載している。ＬＥＤ素子は、赤色、緑色、青色のものをそれぞれ搭載している。また、発光部には、各ＬＥＤ素子を発光させる点灯回路と、その点灯回路を駆動する電源（電池等）とを有する。
【００２７】
点灯回路は、３色のＬＥＤ素子を個別に及び同時に点灯させる回路を用いることで、光のバリエーションを与えることができる。そのような光のバリエーションを与えるために３色のＬＥＤ素子毎に点灯回路を設けることが好ましい。
【００２８】
すなわち、前記点灯回路は、赤色、緑色、青色の３つのＬＥＤ素子毎に並列に設けることで、各ＬＥＤ素子を単色で点灯させたり、２以上のＬＥＤ素子を組み合わせて点灯させたりすることができる。２以上のＬＥＤ素子を組み合わせて点灯させれば、様々な色を透光部材上に透光することができる。
【００２９】
例えば、赤色のＬＥＤ素子と緑色のＬＥＤ素子とを同時に点灯させれば、これらの調光によって黄色に透光することができる。さらに、点灯の照度を上げることで濃い色調にすることができ、点灯の照度を低くすることで淡い色調にすることもできる。
【００３０】
点灯回路で用いる素子は、点滅用の回路等を構成するため、通常の抵抗、コンデンサに加え、トランジスタを一つにチップ上に構成したＩＣを用いた方が、回路の省スペース化や軽量性に富む。
【００３１】
また、点灯回路は、ＬＥＤ素子の点滅速度を変化させ、ＬＥＤ素子を調光させたりする機能を有するものを用いることが好ましい。このような、点滅機能や調光機能を機能させるためにも、トランジスタとコンデンサと抵抗とを基板上に配設したもの、又はこれらを集積回路化した素子である点灯用ＩＣを用いることが好ましい。
【００３２】
点灯用ＩＣは、例えば、ＰＩＣ（Peripheral Interface Controller）を使用すると、回路素子が少なくて済む。ＰＩＣは、小型のワンチップマイコンと呼ばれている。ＰＩＣは、電池駆動（３．３〜５Ｖ駆動）に対応できるＩＣである。ＰＩＣには、ＣＰＵ、メモリ（ＲＡＭ、ＲＯＭ）、Ｉ／Ｏなどが１チップに収められている。これにより、点灯回路の構成が容易になり、部品点数が少なくなり安価になる。
【００３３】
点灯用ＩＣであるＰＩＣにはプログラムがＲＯＭ等に内蔵されており、プログラムは各ＬＥＤ素子をどのように点灯するのか制御する。
プログラムは、例えば、各ＬＥＤ素子を個別に点灯させたり（個別点灯モード）、２以上のＬＥＤ素子を同時に点灯させたり（複数点灯モード）、ＬＥＤ素子の点滅速度を変化させたり（点滅速度変更モード）、各ＬＥＤ素子を調光させたり（調光モード）して制御可能としている。
【００３４】
次に、把持部は、透光部材の基端部に設けられ、透光部材と同一形状、又は、手で持ちやすいようにグリップ溝を形成してもよい。この把持部の内部に点灯回路や駆動電源を設けてもよい。
【００３５】
そして、本実施形態におけるＬＥＤ搭載グッズは、透光部材の形状を使用用途に応じた形態にすることができる。例えば、透光部材の形状を棒状、球状、刀の形状、人の手の形状、又は、団扇にすることができる。これにより、コンサートやスポーツ観戦で使用される応援グッズとして使用することができ、又は、工事現場の警備員が使用する誘導灯などにも使用することができる。前記発泡スチロールを使用すると、押出成形等により成形が容易であることから様々な形に変更することができる。
以下、応援グッズ等の実施例を説明する。
【実施例１】
【００３６】
［棒状体の応援グッズ］
本実施例におけるＬＥＤ搭載の応援グッズ１０について、図１〜図３を参照して詳細に説明する。
図１（ａ）は、棒状体を有する応援グッズ１０の全体構造を示す斜視図であり、図１（ｂ）は、その応援グッズ１０のＬＥＤ素子１８ａ、１８ｂ、１８ｃを点灯させた状態を示す斜視図である。
【００３７】
図１（ａ）示すように、本実施例に係る応援グッズ１０は、透光部材１１を棒状に構成し、その透光部材１１内の基部に発光部１２を内蔵したものである。把持部１３は、透光部材１１と同一形状としている。また、透光部材１１の周囲には透明又は半透明のシート材１４を巻設している。
【００３８】
図１（ａ）示すように、透光部材１１は、円筒形状に形成された長細い棒状体である。透光部材１１は、円筒形状を有して中空部Ｍ以外の部分は多孔質を有する発泡スチロールで形成されている。このように、透光部材１１を発泡スチロールで構成しているので軽量であり、振り回しても手に疲れが生じにくい。また、多少叩いても変形はしないので、打撃による音を鳴らすことも可能である。
【００３９】
図２は、棒状体の応援グッズ１０の構成部品毎に分解させた状態を示す分解図である。
図２に示すように、透光部材１１内の中空部Ｍの上端部には蓋部１５を配設している。蓋部１５は円柱体を有しており、透光部材１１の上部側中空部Ｍに着脱自在に配設している。
【００４０】
図２示すように、透光部材１１内の中空部Ｍの下端側には発光部１２を配設している。発光部１２には、プラスチック樹脂で形成された基板取付部材１６を配設しており、基板取付部材１６は透光部材１１の中空部Ｍ下端をふたするように略円柱体を有する。基板取付部材１６には、各ＬＥＤ素子１８ａ、１８ｂ、１８ｃを点灯させる点灯回路Ｋの基板Ｂをその上部に取り付けている。
【００４１】
また、図２に示すように、発光部１２には、赤色、緑色、青色の３つのＬＥＤ素子１８ａ、１８ｂ、１８ｃを配設している。ＬＥＤ素子１８ａ、１８ｂ、１８ｃは、例えば、ドーム型のＬＥＤ素子、すなわち、上側の電球部分がＰＮ接合部を半球状の透明材質で封止したものであり、下側の電極部分がリード式のものを使用することができる。このドーム型のＬＥＤ素子１８ａ、１８ｂ、１８ｃに限られず、面実装式のＬＥＤ素子を使用することができる。
【００４２】
また、点灯回路Ｋを駆動するための電源Ｅを基板取付部材１６の下部に設けている。電源Ｅは電池で構成し、電池としては、例えば、ボタン式電池２１ａ（酸化銀電池等）を用いることができ、基板取付部材１６の電池ボックス２１内に配設可能としている。
さらに、図３に示すように、基板取付部材１６の下部にはボタン式の丸いスイッチボタン１７を配設している。
【００４３】
図３は、透光部材１１の中空部ＭにＬＥＤ光を照射する状態を説明する説明図である。
図３に示すように、透光部材１１の中空部Ｍでは、その基端側に設けた発光部１２の光を先端まで照射可能としている。なお、この中空部Ｍには光をより拡散させながら照射させる部材、例えば、透明なフィルム材等を配設してもよい。そして、中空部Ｍに照射したＬＥＤ素子１８ａ、１８ｂ、１８ｃの光を透光部材１１の外周部にまで透光させるようにしている。
【００４４】
図３に示すように、この蓋部１５の底面には反射シート２２を貼り付けている。これにより、反射シート２２は、棒状体先端に配設されることになり、棒状体基部に設けた発光部１２からの光を反射させて円筒体全体に光を拡散させる。透光部材１１は、その拡散させた光を、中空部Ｍから外周面上に透光させるものである。
【００４５】
図１（ａ）及び図２（ａ）に示すように、透光部材１１の外周部分には透明又は半透明のシート材１４を巻設している。このように、透明又は半透明のシート材１４を透光部材１１に巻設すると、透光部材１１上の光を透過させることでシート材１４に印刷された文字や図形等が浮き上がり、これにより視覚的な面白みを与えることができる。
【００４６】
例えば、シート材１４の文字や図形の部分を透明地にし、それ以外を黒地とすることで、透明本体からの光は文字や図形部分を透過し、それ以外は透過しないため、棒状体上で光による文字や図形を浮き上がらせることができる。
【００４７】
または、これとは反対に、文字や図形の部分を着色し、それ以外を透明地とすることで、透明地部分に光を透過させて黒く浮き上がる文字や図形に着目できるようにすることも可能である。
【００４８】
文字としては、例えば、応援メッセージや応援する人物名をシート材１４に印字することができ、図形としては、例えば、応援する人物名の似顔絵等をシート材１４に印字することができる。
【００４９】
このように、棒状体の外周部に透明なシート材１４を巻き付け、透明なシート材１４に文字や図形を印字することで、その図形と透光部材１１の光との協働により様々な演出が可能である。
【００５０】
［点灯回路の回路構成］
次に、点灯回路Ｋの回路構成について図４を参照して詳細に説明する。図４は、棒状体の応援グッズ１０内に設けられる点灯回路Ｋを示す回路図である。
点灯回路Ｋは、応援グッズ１０が使い捨ての用品であるため、コスト削減のため回路素子を少なくして構成する必要がある。このため、本実施例では、ＰＩＣを使用して回路素子を少なくして構成している。
【００５１】
すなわち、点灯回路Ｋは、図４に示すように、電源Ｅと、ＰＩＣ２４と、クロック信号を発生させてＰＩＣ２４に供給する抵抗Ｒ、コンデンサＣとを有する。すなわち、点灯回路Ｋは、プリント基板上に抵抗やコンデンサやＬＥＤ素子１８ａ、１８ｂ、１８ｃの点灯用ＩＣを実装し、それにスイッチボタン１７と電源Ｅを外付けで結線したものである。
【００５２】
図４中、Ｅは電源であり、１９はＲＣ発振回路であり、１７はスイッチボタンであり、２３は各ＬＥＤ素子１８ａ、１８ｂ、１８ｃへの電流調節用の抵抗であり、２４はＰＩＣ２４である。Ｃ２とＣ３は、電源Ｅのインピーダンスを下げるためのコンデンサである。
【００５３】
本実施例では、各点灯モードの切替を、棒状体下部に取り付けたスイッチボタン１７の押し操作により行う。すなわち、ＰＩＣ２４には、スイッチボタン１７からの押し操作による信号を供給することで、ＬＥＤ素子１８ａ、１８ｂ、１８ｃの点灯モードを切り換えるプログラムが書き込まれている。例えば、スイッチボタン１７の押し操作により、プログラムが赤色ＬＥＤ素子１８ａ、緑色ＬＥＤ素子１８ｂ、青色ＬＥＤ素子１８ｃを点灯させる信号を出力するように指令している。
【００５４】
図４に示すように、ＰＩＣ２４は、例えばＩ／Ｏピンを８つで構成したものがある。このうち、第１ピン及び第２ピンは電源用とＧＮＤ用であり、第３ピンはクロック信号入力用であり、第５ピンはスイッチボタン１７からの入力信号用であり、第４，６，８ピンは３つのＬＥＤ素子への出力用ポートである。第７ピンはノンコネクション（ＧＮＤに接続）としている。
【００５５】
また、点灯回路Ｋは、赤色、緑色、青色の３つのＬＥＤ素子１８ａ、１８ｂ、１８ｃ毎に並列に設けることで、各ＬＥＤ素子１８ａ、１８ｂ、１８ｃを単色で点灯させたり、組み合わせて点灯させたりすることができる。単色の色を組み合わせて点灯させることで、異なる色を点灯させることができる。例えば、赤色と緑色を同時に点灯・調光すれば、黄色に点灯させることができる。
【００５６】
ＰＩＣ２４には抵抗とコンデンサとで構成したＲＣ発振回路１９（外付けＲＣ発振モード回路）を外付けで接続し、そのＲＣ発振回路１９により発生したクロック信号をＰＩＣ２４の入力ピンに供給することでＰＩＣ２４を駆動可能としている。
【００５７】
なお、ＰＩＣ２４は、図４に示す点灯回路ＫのようにＩ／Ｏピンにスイッチボタン１７からの信号を供給するものであってもよいし、マイクロスイッチを備えたＰＩＣ２４を使用することもできる。すなわち、棒状体下部のスイッチボタン１７がＰＩＣ２４のマイクロスイッチとなり、スイッチボタン１７押し操作によりＩＣからの出力信号（点灯モード）を切り換えるように構成してもよい。
【００５８】
本実施例では、スイッチボタン１７の押し操作による信号を供給することで、点灯用ＩＣは、単色点灯モード、点滅速度変更モード、調光モードに変更させて各ＬＥＤ素子１８ａ、１８ｂ、１８ｃを点灯させるように出力信号を発する。
【００５９】
通常、単色点灯モードでのＬＥＤ素子１８ａ、１８ｂ、１８ｃの点灯は、ＰＩＣ２４のＩ／Ｏピンからの出力信号をＬｏｗ（オフ）からＨｉ（オン）にすることで可能となる。
【００６０】
点滅速度変更モードは、オンとオフの期間を変更することで、ＬＥＤ素子１８ａ、１８ｂ、１８ｃの点灯周期を変更するようにしている。ＬＥＤ素子１８ａ、１８ｂ、１８ｃの点滅速度は速くしたり、緩やかにしたりすることができる。
【００６１】
例えば、図８（ａ）に示すように、最初は、点灯時間及び消灯時間を長くすることで点滅速度を遅くし、その後、点灯時間及び消灯時間を短くすることで点滅速度を速くし、その後、点灯時間及び消灯時間を長くすることで点滅速度を速くするようにする。
【００６２】
調光モードは、ＰＷＭ方式により、パルス１周期中のオンとオフの比率を変えることで、見掛け上の明るさを可変としている。また、調光は、プログラムの制御により、緩やかに調光したり、急速に調光したりすることができる。
【００６３】
例えば、図８（ｂ）に示すように、最初は、消灯時間に比べて点灯時間を短くすることで暗くし、その後、点灯時間を長くすることで明るくし、その後、点灯時間を短くすることで暗くするようにする。また、点灯を暗い状態から明るい状態にする（又はその逆）までの時間を早くしたり遅くしたりすることができる。
【００６４】
本実施例では、最初の押し操作では赤色ＬＥＤ素子１８ａ、緑色ＬＥＤ素子１８ｂ、青色ＬＥＤ素子１８ｃがそれぞれ単色で点灯し（単色モード）、次の押し操作では各ＬＥＤ素子１８ａ、１８ｂ、１８ｃがそれぞれ点滅し、次の押し操作ではその点滅速度が速くなり（点滅速度変更モード）、次の押し操作では各ＬＥＤ素子１８ａ、１８ｂ、１８ｃの点灯を明るくしたり、暗くしたりする（調光モード）。
【００６５】
なお、ＬＥＤ素子１８ａ、１８ｂ、１８ｃとして、通常のＬＥＤ素子の代わりに、自己点滅ＬＥＤ素子を用いてもよい。自己点滅ＬＥＤ素子とは、専用のＩＣを内蔵したものであり、所定信号を供給することで、点灯のオン・オフを一定周期で繰り返すＬＥＤ素子である。
【００６６】
［棒状の応援グッズの使用方法］
このように構成した応援グッズ１０（ＬＥＤ棒）を使用する際、まず、スイッチボタン１７をＯＮにすると、赤色ＬＥＤ素子１８ａが点灯し、棒状体全体を赤色で点灯することができる。次いで、スイッチボタン１７を押すと緑色ＬＥＤ素子１８ｂが点灯し、さらに、スイッチボタン１７を押すと青色ＬＥＤ素子１８ｃが点灯する。
【００６７】
次に、スイッチボタン１７を押すと各ＬＥＤ素子１８ａ、１８ｂ、１８ｃが点滅する。さらにスイッチボタン１７を押すとその点滅速度が増したり減ったりする。この点滅速度の変化により、視覚的な変化をもたらすことができる。
【００６８】
さらに、スイッチボタン１７を押すとＬＥＤ素子１８ａ、１８ｂ、１８ｃの点灯照度が変化する。すなわち、ＬＥＤ素子１８ａ、１８ｂ、１８ｃが明るく点灯したり、暗く点灯したりする。これによっても、視覚的な変化をもたらすことができる。
【００６９】
このように、本実施例１に係る棒状体からなる応援グッズ１０は、スイッチボタン１７を押すことで、各ＬＥＤ素子１８ａ、１８ｂ、１８ｃの色の変化、光の変化によって、視覚的に面白みを有するグッズとして機能する。すなわち、コンサート会場の歌手やスポーツ競技場の選手への応援グッズ１０として視覚的に面白みのあるものとすることができる。
【００７０】
また、本実施例１に係る棒状体からなる応援グッズ１０は、多孔質体からなる透光部材１１を棒状体にしているので、持ちやすく軽量であるので手で持って振り回しても疲れが生じにくい。また、その多孔質の性質を有して透光性を備えており、その透光性を生かして周囲に注目を引き寄せるグッズとして最適である。
【実施例２】
【００７１】
［人の手の形状を有するＬＥＤ搭載グッズ］
図５は、人の手の形状を有する応援グッズ３０の全体構造を示す斜視図である。
図５に示すように、透光部材３１は人の手の形状にすることができる。すなわち、透光部材３１を人の手より数倍大きくしたもので構成し、その透光部材３１の基端部に把持部３３を設けている。また、把持部３３にＬＥＤ素子１８ａ、１８ｂ、１８ｃや点灯回路Ｋを配設可能としている。ＬＥＤ素子１８ａ、１８ｂ、１８ｃや点灯回路Ｋは、実施例１と同じである。
【００７２】
そして、前記のものを左右一対で構成し、透光部材３１で発光させながら両手で叩く構成を有する応援グッズとして機能することができる。例えば、掌に相当する部分に打撃することで打撃音を発生する装置を据え付けることもできる。これにより、視覚的に面白みを有するグッズにすると共に、打撃音による面白みを有するグッズとしても機能する。
【実施例３】
【００７３】
［刀形状を有するＬＥＤ搭載グッズ］
図６は、刀の形状にしたＬＥＤ搭載グッズ４０の全体構造を示す斜視図である。
図６に示すように、透光部材４１は、刀の形状にすることができる。例えば、透光部材４１を長くて細い刀のように構成し、その透光部材４１の基端部に把持部４３を設けている。透光部材４１である刀の部分の内部は中空にしている。把持部４３には、手で持ちやすいようにグリップ部４３ａが設けられている。ＬＥＤ素子１８ａ、１８ｂ、１８ｃや点灯回路Ｋは、実施例１と同じである。
【００７４】
本実施例では、透光部材４１で発光させながら振り回すことで音を発生する音声発生体を付加することもできる。しかも、透光部材４１を振り回しすることによって、点灯回路Ｋが起動できるように振動素子を用いることも可能である。
【実施例４】
【００７５】
［誘導灯タイプのＬＥＤ搭載グッズ］
図７は、誘導灯タイプとして使用するＬＥＤ搭載グッズ５０の全体構造を示す斜視図である。
図７に示すように、誘導灯は、透光部材５１を先端がやや先細りの棒状体のように構成し、その透光部材５１の基端部に把持部５３を設けている。また、透光部材５１の部分を中空にしている。なお、ＬＥＤ素子１８ａ、１８ｂ、１８ｃや点灯回路Ｋは、実施例１と同じである。
【００７６】
そして、透光部材５１で発光させながら振り回せるようにすることで誘導灯としても使用できる。誘導灯として透光部材５１は赤色で点灯させることが好ましいので、透光部材５１を赤色に着色し、又は赤色ＬＥＤ素子１８ａを使用し、又は赤色のシート材（図示せず）を透光部材５１の外周部分に巻設すればよい。
【００７７】
このようにして、前記ＬＥＤ搭載グッズ５０は、コンサート会場やスポーツ競技場で火災があった場合に観客を会場の職員によって誘導する時の誘導灯としても使用することができる。
【００７８】
以上のように、本実施形態におけるＬＥＤ搭載グッズは、コンサート会場等で使用する応援グッズとして使用でき、透光部材から透光させたものを手で振り回すことで歌手や選手にアピールすることができるものである。なお、本実施形態におけるＬＥＤ搭載グッズは、コンサート会場やスポーツ競技場に限られず、イベント会場でのマスコットや選挙の候補者の応援グッズ等としても使用することができる。
【００７９】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００８０】
Ｅ  電源
Ｋ  点灯回路
１０  ＬＥＤ搭載グッズ
１１  透光部材
１４  シール材
１８ａ、１８ｂ、１８ｃ  ＬＥＤ素子
【図１】
2014135315.tif 000003
【図２】
2014135315.tif 000004
【図３】
2014135315.tif 000005
【図４】
2014135315.tif 000006
【図５】
2014135315.tif 000007
【図６】
2014135315.tif 000008
【図７】
2014135315.tif 000009
【図８】
2014135315.tif 000010
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
ＬＥＤ素子と、ＬＥＤ素子を点灯させる点灯回路と、ＬＥＤ素子及び点灯回路を内蔵する透光部材とを備えた応援グッズにおいて、
前記透光部材は、中空部分を有する発泡スチロールからなり、ＬＥＤ点灯回路によりＬＥＤ素子を点灯又は点滅させて中空部分にＬＥＤ光を照射することで発泡スチロールを通して透光させるように構成し、
前記点灯回路は、クロック信号を発生させるＲＣ発振回路と、スイッチボタンの押し操作による信号を供給することで前記ＬＥＤ素子の点灯モードを切り換えるＰＩＣとを備え、
前記スイッチボタンの押し操作によって、前記ＲＣ発振回路及び前記ＰＩＣによりＬＥＤ素子を、単色点灯モード、点滅速度変更モード、又は調光モードに変更させて点灯させるように構成したことを特徴とする応援グッズ。
【請求項２】
前記透光部材は中空の円筒形状を有する棒状体であり、棒状体の基部にＬＥＤ素子を配設したことを特徴とする請求項１に記載の応援グッズ。
【請求項３】
前記透光部材は人の手の形状を有し、透光部材の基端部には把持部を配設すると共にＬＥＤ素子を配設したことを特徴とする請求項１又は請求項２に記載の応援グッズ。
【請求項４】
前記透光部材の外周面にその一部が透明又は半透明のシート材を配設したことを特徴とする請求項１〜請求項３のいずれか１項に記載の応援グッズ。
【請求項５】
前記ＬＥＤ素子は点滅速度を可変又は調光可能としたことを特徴とする請求項１〜請求項４のいずれか１項に記載の応援グッズ。
【手続補正３】
【補正対象書類名】明細書
【補正対象項目名】０００９
【補正方法】変更
【補正の内容】
【０００９】
請求項１に記載の発明は、ＬＥＤ素子と、ＬＥＤ素子を点灯させる点灯回路と、ＬＥＤ素子及び点灯回路を内蔵する透光部材とを備えた応援グッズにおいて、前記透光部材は、中空部分を有する発泡スチロールからなり、ＬＥＤ点灯回路によりＬＥＤ素子を点灯又は点滅させて中空部分にＬＥＤ光を照射することで発泡スチロールを通して透光させるように構成し、前記点灯回路は、クロック信号を発生させるＲＣ発振回路と、スイッチボタンの押し操作による信号を供給することで前記ＬＥＤ素子の点灯モードを切り換えるＰＩＣとを備え、前記スイッチボタンの押し操作によって、前記ＲＣ発振回路及び前記ＰＩＣによりＬＥＤ素子を、単色点灯モード、点滅速度変更モード、又は調光モードに変更させて点灯させるように構成したことを特徴とする応援グッズである。
【手続補正４】
【補正対象書類名】明細書
【補正対象項目名】００１０
【補正方法】変更
【補正の内容】
【００１０】
請求項２に記載の発明は、前記透光部材は中空の円筒形状を有する棒状体であり、棒状体の基部にＬＥＤ素子を配設したことを特徴とする請求項１に記載の応援グッズである。
【手続補正５】
【補正対象書類名】明細書
【補正対象項目名】００１１
【補正方法】変更
【補正の内容】
【００１１】
請求項３に記載の発明は、前記透光部材は人の手の形状を有し、透光部材の基端部には把持部を配設すると共にＬＥＤ素子を配設したことを特徴とする請求項１又は請求項２に記載の応援グッズである。
【手続補正６】
【補正対象書類名】明細書
【補正対象項目名】００１２
【補正方法】変更
【補正の内容】
【００１２】
請求項４に記載の発明は、前記透光部材の外周面にその一部が透明又は半透明のシート材を配設したことを特徴とする請求項１〜請求項３のいずれか１項に記載の応援グッズである。
【手続補正７】
【補正対象書類名】明細書
【補正対象項目名】００１３
【補正方法】変更
【補正の内容】
【００１３】
請求項５に記載の発明は、前記ＬＥＤ素子は点滅速度を可変又は調光可能としたことを特徴とする請求項１〜請求項４のいずれか１項に記載の応援グッズである。
【手続補正８】
【補正対象書類名】明細書
【補正対象項目名】００１４
【補正方法】変更
【補正の内容】
【００１４】
請求項１に記載の発明によれば、その全体が多孔質を有する透光部材で構成されるので軽量である。このため、手で振り回しても疲れが生じにくい。また、多孔質を有するので、透光部材の内部からＬＥＤを点灯させることでその透光部材を通して透光させることができる。
また、点灯回路は、スイッチボタンの押し操作による信号を供給することで、前記ＬＥＤ素子の点灯モードを切り換えるＰＩＣ（Peripheral Interface Controller）を備え、スイッチボタンの押し操作によって、各ＬＥＤ素子を、単色点灯モード、点滅速度変更モード、調光モードに変更させて点灯させるようにしたことにより、視覚的な変化をもたらすことができる。